(57)【特許請求の範囲】
【請求項１】
濾材が充填された濾過層と、該濾過層の底部に原水を供給する原水供給手段と、該原水供給手段から濾過層の底部に供給され且つ該濾過層内を上昇することにより濾過された上澄水を濾過水として集めて抜き出す濾過水回収手段と、前記原水から懸濁物質を捕捉した濾材を濾過層の底部からの空気上昇と共に搬送し該濾材から懸濁物質を分離し洗浄排水として集めて抜き出すと共に懸濁物質が分離された濾材を濾過層へ戻す濾材洗浄手段とを有する濾過モジュールが内蔵された濾過槽を複数台配設してなる移動床式上向流連続砂濾過装置において、
前記各濾過槽に内蔵された濾過モジュールの濾材洗浄手段を、前記濾過層の中心部に上下方向へ延びるよう配設され且つ濾材を濾過層の底部からの空気上昇と共に搬送するエアリフト管と、該エアリフト管の上端から溢流する濾材を受けて洗浄排水と濾材に分ける排水桶と、該排水桶から洗浄排水を抜き出すエアリフト洗浄排水管とから構成し、
該各濾過槽に内蔵された濾過モジュールのエアリフト洗浄排水管を洗浄排水集合管に接続すると共に、該洗浄排水集合管に対し、前記各濾過槽に内蔵された濾過モジュールでの詰り発生時に濾過水回収手段と濾過層との間の水を排出する詰り洗浄排水管を接続し、該各詰り洗浄排水管に開閉手段を設けたことを特徴とする移動床式上向流連続砂濾過装置。
【請求項２】
前記詰り洗浄排水管の内径を、予め設定される管内流速に基づき、各濾過槽の原水供給流量に見合う流量の排水を許容する値とすると共に、前記洗浄排水集合管の内径を、予め設定される管内流速に基づき、各濾過槽の原水供給流量の総和に見合う流量の排水を許容する値とした請求項１記載の移動床式上向流連続砂濾過装置。
【請求項３】
請求項２記載の移動床式上向流連続砂濾過装置の運転方法であって、
詰りが発生した濾過槽の開閉手段を開放し、該濾過槽の詰り洗浄排水管から排水作業を行うと共に、前記詰りが発生した濾過槽以外の濾過槽での原水濾過及び濾材洗浄が同時進行される通常運転を継続することを特徴とする移動床式上向流連続砂濾過装置の運転方法。
【発明の詳細な説明】
【技術分野】
【０００１】
本発明は、移動床式上向流連続砂濾過装置及びその運転方法に関するものである。
【背景技術】
【０００２】
一般に、上水、下水、産業排水等のあらゆる水の濾過と濾過砂の洗浄が同時に行える装置として移動床式上向流連続砂濾過装置が広く利用されている。
【０００３】
図６は従来の移動床式上向流連続砂濾過装置の一例を示すものであって、砂等の濾材が充填された濾過層１と、該濾過層１の底部に原水を供給する原水供給手段２と、該原水供給手段２から濾過層１の底部に供給され且つ該濾過層１内を上昇することにより濾過された上澄水を濾過水として集めて抜き出す濾過水回収手段３と、前記原水から懸濁物質（ＳＳ：Suspended Solid）を捕捉した濾材を濾過層１の底部からの空気上昇と共に搬送し該濾材から懸濁物質を分離し洗浄排水として集めて抜き出すと共に懸濁物質が分離された濾材を濾過層１へ戻す濾材洗浄手段４とを有している。
【０００４】
前記原水供給手段２は、濾過槽５の底部に、原水供給ヘッダ２ａから上方へ延びる複数本の原水供給ノズル２ｂを濾過層１内に開口するよう配設すると共に、該各原水供給ノズル２ｂの上端開口部を覆い且つ濾過槽５と同心環状のディストリビュータ２ｃを配設してなる構成を有している。
【０００５】
前記濾過水回収手段３は、濾過槽５の上部における外周所要箇所に、前記濾過層１内を上昇することにより濾過された上澄水をオーバーフローさせる堰３ａと、該堰３ａを乗り越えた上澄水を受ける受板３ｂとによって濾過水受部３ｃを形成し、該濾過水受部３ｃに濾過水ノズル３ｄを接続してなる構成を有している。
【０００６】
前記濾材洗浄手段４は、前記濾過層１の中心部に、濾材を濾過層１の底部からの空気上昇と共に搬送するエアリフト管４ａを上下方向へ延びるよう配設し、該エアリフト管４ａの上端部に、その上端から溢流する濾材を受けて洗浄排水と濾材に分ける排水桶４ｂを設け、該排水桶４ｂに、洗浄排水を抜き出すエアリフト洗浄排水管４ｃを接続してなる構成を有している。前記エアリフト管４ａの中心部には、濾過槽５の上方から空気を供給する空気導入管４ｄを配設して二重管構造とし、又、前記排水桶４ｂの底部には、前記エアリフト管４ａの上部外周に同芯状に配設され且つ内部にラビリンス空間が形成された濾材戻し管４ｅを接続してある。
【０００７】
前述の如き移動床式上向流連続砂濾過装置においては、図６（ａ）に示される如く、原水供給ヘッダ２ａへ供給される原水は、前記原水供給手段２を構成する原水供給ノズル２ｂの上端開口部から濾過層１に吹き出され、ディストリビュータ２ｃにより濾過層１の全域に均等に振り分けられて該濾過層１を上昇する過程で濾材に懸濁物質が捕捉されることで、懸濁物質が取り除かれ、清浄な濾過水となり、前記濾過水回収手段３を構成する堰３ａをオーバーフローして濾過水受部３ｃに流入し濾過水ノズル３ｄから排出される。
【０００８】
同時に、図６（ｂ）に示される如く、前記原水から懸濁物質を捕捉した濾材は、前記濾材洗浄手段４を構成する空気導入管４ｄから濾過層１の底部へ供給される空気と共にエアリフト管４ａの内部に吸い込まれて上昇し、該エアリフト管４ａの内部を濾材と水及び空気が異なる速度で上昇することにより、濾材が揉まれて懸濁物質が濾材から剥離し、前記エアリフト管４ａの上端から溢流する濾材は、排水桶４ｂの内部で懸濁物質を含む洗浄排水が分離され、該洗浄排水は洗浄排水管から抜き出される一方、前記懸濁物質が除去された濾材は、濾材戻し管４ｅを流下しつつそのラビリンス空間内で残存する懸濁物質が更に分離され、濾過層１へ戻される。
【０００９】
尚、図６中、６は前記濾過層１の底部にエアリフト管４ａを取り囲むように配設された円錐状濾材案内手段であって、該円錐状濾材案内手段６により、濾過層１において上方から下方へ流下する濾材が濾過槽５の横断面全体に亘って均等に振り分けられると共に、円錐状濾材案内手段６の上方にある濾材の重量で円錐状濾材案内手段６の下方にある濾材が直接圧密されて流動しにくくなるのを防いでいる。更に、濾過層１において発生する気泡が捕獲され、円錐状濾材案内手段６上部に接続された気泡排出管（図示せず）から外部へ排出されるようになっている。
【００１０】
そして、前記移動床式上向流連続砂濾過装置は、前記濾過層１と原水供給手段２と濾過水回収手段３と濾材洗浄手段４とを一つの最小単位としてまとめた濾過モジュールＭとし、該濾過モジュールＭが内蔵された濾過槽５を原水の処理量に応じて複数台配設することが一般に行われており、この場合、図７に示される如く、前記各濾過槽５に内蔵された濾過モジュールＭのエアリフト洗浄排水管４ｃを洗浄排水集合管７に接続し、該洗浄排水集合管７にまとめる形で前記各濾過槽５からの洗浄排水を図示していない洗浄排水槽へ送るようになっている。尚、前記各濾過槽５に対しては、図示していない原水槽から一台のポンプにより原水が分配される形で供給されるようになっている。
【００１１】
因みに、図６及び図７に示される移動床式上向流連続砂濾過装置は、前記濾過槽５を鋼板によって製造し、一つの濾過槽５の中に一つの濾過モジュールＭを内蔵した、いわゆるシングル濾過モジュールタイプのものであるが、該濾過槽５をコンクリートによって製造したものも存在し、この場合、図８に示される如く、一つの濾過槽５の中に複数の濾過モジュールＭを内蔵した、いわゆるマルチ濾過モジュールタイプのものがあり、各濾過モジュールＭのエアリフト洗浄排水管４ｃは、濾過槽５の内部に配設された連結管４ｆを介し、前記洗浄排水槽へつながる洗浄排水集合管７に接続されるようになっている。尚、図６及び図７に示される濾過槽５をコンクリートによって製造したり、或いは図８に示される濾過槽５を鋼板によって製造したりすることが可能であることは言うまでもない。
【００１２】
尚、前記移動床式上向流連続砂濾過装置と関連する一般的技術水準を示すものとしては、例えば、特許文献１、２がある。
【先行技術文献】
【特許文献】
【００１３】
【特許文献１】特公昭５６−５１８０８号公報
【特許文献２】特許第３８５３７３８号公報
【発明の概要】
【発明が解決しようとする課題】
【００１４】
しかしながら、前述の如き従来の移動床式上向流連続砂濾過装置では、例えば、懸濁物質の濃度が異常に高くなったり、或いは砂等の濾材に固着しやすい物質が多く含まれていたりして、流入する原水の性状が変化した場合、濾過層１に固まり部が生じて濾材の循環移動が不充分となり、原水を濾過する際の圧損が高くなると共に、濾過水の濁り度も高くなってしまう虞があり、速やかに何らかの対応を行う必要があった。
【００１５】
こういった緊急の対応を要する非常時には、詰り洗浄を行うことを目的として、原水を原水供給ノズル２ｂから供給しつつ、濾過層１に生じた固まり部を該濾過層１の上方からの高圧水の噴射等により直接解砕撹拌することが有効となるが、このような解砕撹拌を行った場合、懸濁物質を多く含んだ水が堰３ａを越えて濾過水ノズル３ｄから排出されてしまうため、詰り洗浄前に濾過した清浄な濾過水を懸濁物質で汚す虞がある。そこで、例えば、濾過水ノズル３ｄに接続される濾過水管（図示せず）から仮設の強制排水管を分岐接続し、前記懸濁物質を含んだ水を回収する必要があった。しかしながら、前記濾過水管から仮設の強制排水管を分岐接続するのは、準備に手間がかかり、煩雑な作業が必要になるという不具合を有していた。
【００１６】
又、前記懸濁物質を多く含んだ水が堰３ａを越えて濾過水ノズル３ｄから排出されてしまうことを避けるためには、前記エアリフト洗浄排水管４ｃから排出できる洗浄排水の流量に見合う量の原水を少しずつ詰り洗浄用として原水供給ノズル２ｂから供給することも可能ではあるが、この場合、詰り洗浄を完了するまでに非常に時間がかかり、あまり好ましい対策であるとは言えなかった。
【００１７】
更に又、前記濾過層１の上方に水中ポンプを投入し、該水中ポンプで前記懸濁物質を含んだ水を強制的に汲み上げて回収することも可能ではあるが、水中ポンプの手配等、作業が面倒になることは避けられず、やはり好ましい対策であるとは言えなかった。
【００１８】
尚、特許文献１、２のいずれにも、緊急を要する非常時の詰り洗浄については、何ら記載はなされていない。
【００１９】
本発明は、斯かる実情に鑑み、洗浄排水集合管につながる複数台の濾過槽に内蔵された濾過モジュールで詰りが発生した際に、懸濁物質を多く含んだ水が濾過水回収手段から排出されてしまうことを防止しつつ、詰り洗浄を容易に且つ効率良く行い得る移動床式上向流連続砂濾過装置及びその運転方法を提供しようとするものである。
【課題を解決するための手段】
【００２０】
本発明は、濾材が充填された濾過層と、該濾過層の底部に原水を供給する原水供給手段と、該原水供給手段から濾過層の底部に供給され且つ該濾過層内を上昇することにより濾過された上澄水を濾過水として集めて抜き出す濾過水回収手段と、前記原水から懸濁物質を捕捉した濾材を濾過層の底部からの空気上昇と共に搬送し該濾材から懸濁物質を分離し洗浄排水として集めて抜き出すと共に懸濁物質が分離された濾材を濾過層へ戻す濾材洗浄手段とを有する濾過モジュールが内蔵された濾過槽を複数台配設してなる移動床式上向流連続砂濾過装置において、
前記各濾過槽に内蔵された濾過モジュールの濾材洗浄手段を、前記濾過層の中心部に上下方向へ延びるよう配設され且つ濾材を濾過層の底部からの空気上昇と共に搬送するエアリフト管と、該エアリフト管の上端から溢流する濾材を受けて洗浄排水と濾材に分ける排水桶と、該排水桶から洗浄排水を抜き出すエアリフト洗浄排水管とから構成し、
該各濾過槽に内蔵された濾過モジュールのエアリフト洗浄排水管を洗浄排水集合管に接続すると共に、該洗浄排水集合管に対し、前記各濾過槽に内蔵された濾過モジュールでの詰り発生時に濾過水回収手段と濾過層との間の水を排出する詰り洗浄排水管を接続し、該各詰り洗浄排水管に開閉手段を設けたことを特徴とする移動床式上向流連続砂濾過装置にかかるものである。
【００２１】
上記手段によれば、以下のような作用が得られる。
【００２２】
例えば、懸濁物質の濃度が異常に高くなったり、或いは砂等の濾材に固着しやすい物質が多く含まれていたりして、流入する原水の性状が変化した場合、濾過層に固まり部が生じて濾材の循環移動が不充分となり、原水を濾過する際の圧損が高くなると共に、濾過水の濁り度も高くなってしまう虞があるため、原水を原水供給手段から供給しつつ、濾過層に生じた固まり部を高圧水の噴射等により直接解砕撹拌する詰り洗浄を行うが、該詰り洗浄を行う際に、詰りが発生した濾過モジュールが内蔵された濾過槽の開閉手段を開放すると、該濾過モジュールが内蔵された濾過槽の詰り洗浄排水管から排水作業が行われるため、懸濁物質を多く含んだ水が濾過水回収手段から排出されてしまうことが避けられると共に、前記各濾過槽に対しては、原水槽から一台のポンプにより原水が分配される形で供給されるようになっているため、前記詰りが発生した濾過モジュールが内蔵された濾過槽以外の濾過槽では、原水濾過及び濾材洗浄が同時進行される通常運転が継続して行われることとなる。
【００２３】
これにより、従来のように、例えば、濾過水回収手段に接続される濾過水管から仮設の強制排水管を分岐接続し、前記懸濁物質を含んだ水を回収するのとは異なり、詰りが発生した濾過モジュールが内蔵された濾過槽の開閉手段を開放するだけで、準備に手間がかからず、煩雑な作業が一切不要になる。
【００２４】
又、前記懸濁物質を多く含んだ水が濾過水回収手段から排出されてしまうことを避けるために、前記エアリフト洗浄排水管から排出できる洗浄排水の流量に見合う量の原水を少しずつ詰り洗浄用として原水供給手段から供給するのに比べ、詰り洗浄を完了するまでの時間を短縮することが可能となる。
【００２５】
更に又、前記濾過層の上方に水中ポンプを投入し、該水中ポンプで前記懸濁物質を含んだ水を強制的に汲み上げて回収するのとは異なり、水中ポンプの手配等の面倒な作業も行わなくて済む。
【００２６】
前記移動床式上向流連続砂濾過装置においては、前記詰り洗浄排水管の内径を、予め設定される管内流速に基づき、各濾過槽の原水供給流量に見合う流量の排水を許容する値とすると共に、前記洗浄排水集合管の内径を、予め設定される管内流速に基づき、各濾過槽の原水供給流量の総和に見合う流量の排水を許容する値とすることができる。
【００２７】
又、本発明は、前記移動床式上向流連続砂濾過装置の運転方法であって、
詰りが発生した濾過槽の開閉手段を開放し、該濾過槽の詰り洗浄排水管から排水作業を行うと共に、前記詰りが発生した濾過槽以外の濾過槽での原水濾過及び濾材洗浄が同時進行される通常運転を継続することを特徴とする移動床式上向流連続砂濾過装置の運転方法にかかるものである。
【発明の効果】
【００２８】
本発明の移動床式上向流連続砂濾過装置及びその運転方法によれば、洗浄排水集合管につながる複数台の濾過槽に内蔵された濾過モジュールで詰りが発生した際に、懸濁物質を多く含んだ水が濾過水回収手段から排出されてしまうことを防止しつつ、詰り洗浄を容易に且つ効率良く行い得るという優れた効果を奏し得る。
【図面の簡単な説明】
【００２９】
【図１】本発明の移動床式上向流連続砂濾過装置の第一実施例を示す概略平面図である。
【図２】本発明の移動床式上向流連続砂濾過装置の第一実施例における濾過槽に内蔵された濾過モジュールを示す概略断面図である。
【図３】本発明の移動床式上向流連続砂濾過装置の第二実施例を示す概略平面図である。
【図４】本発明の移動床式上向流連続砂濾過装置の第二実施例における濾過槽に内蔵された濾過モジュールを示す概略断面図である。
【図５】本発明の移動床式上向流連続砂濾過装置の第一実施例及び第二実施例における詰り洗浄排水管の開閉手段の変形例を示す概略図であって、（ａ）は詰り洗浄排水管の開口にゴム等の弾性体製の栓をねじ込む例を示す図、（ｂ）は詰り洗浄排水管の開口に水圧で押し付けられる蓋を取り付ける例を示す図、（ｃ）は詰り洗浄排水管の開口に支柱に沿って水面より上方位置まで引き上げ可能な蛇腹を設ける例を示す図である。
【図６】従来の移動床式上向流連続砂濾過装置の一例を示す概略断面図であって、（ａ）は原水濾過の原理説明図、（ｂ）は濾材洗浄の原理説明図である。
【図７】濾過モジュールが内蔵された鋼板製の濾過槽を複数台配設した従来の移動床式上向流連続砂濾過装置の一例を示す概略平面図である。
【図８】濾過モジュールが内蔵されたコンクリート製の濾過槽を複数台配設した従来の移動床式上向流連続砂濾過装置の一例を示す概略平面図である。
【発明を実施するための形態】
【００３０】
以下、本発明の実施の形態を添付図面を参照して説明する。
【００３１】
図１及び図２は本発明の移動床式上向流連続砂濾過装置の第一実施例（濾過槽５を鋼板によって製造したもの）であって、図中、図６及び図７と同一の符号を付した部分は同一物を表わしており、基本的な構成は図６及び図７に示す従来のものと同様であるが、本第一実施例の特徴とするところは、図１及び図２に示す如く、各濾過槽５の外部に配設される洗浄排水集合管７に対し、各濾過槽５に内蔵された濾過モジュールＭでの詰り発生時に濾過水回収手段３と濾過層１との間の水を排出する詰り洗浄排水管８を接続し、該各詰り洗浄排水管８に開閉手段９を設けた点にある。
【００３２】
本第一実施例の場合、前記開閉手段９は、通常運転時には閉じた状態に保持され且つ詰り発生時には開放されるバルブ９ａとしてある。尚、前記バルブ９ａの開閉に関しては、手動式或いは遠隔操作式のいずれの形式をも選定することができる。
【００３３】
ここで、シングル濾過モジュールタイプであるか或いはマルチ濾過モジュールタイプであるかにかかわらず、濾過槽５の台数をＮ（図１の例ではＮ＝３）とし、詰りが発生した濾過槽５の台数をｎ（ｎ≦Ｎ）とし、各濾過槽５への原水供給流量をそれぞれＱ［ｍ3/ｓ］とした場合、通常運転時におけるエアリフト洗浄排水管４ｃからの洗浄排水流量（シングル濾過モジュールタイプの場合、一本のエアリフト洗浄排水管４ｃからの洗浄排水流量であるが、マルチ濾過モジュールタイプの場合、複数本のエアリフト洗浄排水管４ｃからのトータルの洗浄排水流量）は、原水供給流量の５〜１５［％］とするのが望ましいことから、ｍ＝０．０５〜０．１５とすると、前記洗浄排水流量は、
ｍＱ
と表される一方、詰りが発生した濾過槽５においては、その濾過水回収手段３から濁った濾過水が排出されることを防ぐために、原水供給流量と同量の水を詰り洗浄排水管８から洗浄排水集合管７へ流出させる必要がある。
【００３４】
このため、ｎ台の濾過槽５で詰りが発生した場合に、洗浄排水集合管７を流れる洗浄排水流量をｑnとすると、
［数１］
ｑn＝ｎＱ＋ｍＱ（Ｎ−ｎ）
となり、洗浄排水集合管７の内径をｄ［ｍ］とすると、洗浄排水集合管７の内部断面積は、
πｄ2／４
と表されるため、洗浄排水集合管７の管内流速をｖ［ｍ／ｓ］（一般に、ｖ＝０．２〜０．５）とすると、洗浄排水集合管７の内径は、
ｄ＝２×（ｑn／πｖ）1/2
となる。尚、マルチ濾過モジュールタイプの場合、濾過槽５へ供給される原水（原水供給流量Ｑ）が各濾過モジュールに分配される形となり、該マルチ濾過モジュールタイプにおける濾過モジュールの数をｊとすると、各濾過モジュールに供給される分配原水供給流量Ｑ´はＱ´＝Ｑ／ｊとなり、Ｑ＝ｊＱ´となるため、前記［数１］は、
ｑn＝ｎｊＱ´＋ｍｊＱ´（Ｎ−ｎ）
と表すこともできる。
【００３５】
因みに、前記洗浄排水流量ｑnは、ｎ＝Ｎの場合に最大となるため、該最大となる洗浄排水流量ｑn（各濾過槽５の原水供給流量Ｑの総和に見合う流量）を流せるように、前記洗浄排水集合管７の内径ｄを設定すれば良い。但し、このように洗浄排水集合管７の内径ｄを設定すると、濾過槽５の台数Ｎが増す毎に洗浄排水集合管７の管径が太くなる一方、同時に詰り洗浄を行える人員も用具も限られ、現実的ではなくなるため、実際の運用では、例えば、万一、三台の濾過槽５が同時に詰ってしまったような場合には、順次、一台ずつ詰り洗浄を行っていくようにすることも一つの対策となり、このようにすれば、前記洗浄排水集合管７の管径が実現不能となるほど太くなることが避けられ、詰り洗浄を行う人員や用具の問題も解消されることとなる。又、前記詰り洗浄排水管８の内径ｄ´については、予め設定される前記管内流速ｖに基づき、各濾過槽５の原水供給流量Ｑに見合う流量の排水を許容する値に設定すれば良い。
【００３６】
次に、上記第一実施例の作用を説明する。
【００３７】
例えば、懸濁物質の濃度が異常に高くなったり、或いは砂等の濾材に固着しやすい物質が多く含まれていたりして、流入する原水の性状が変化した場合、濾過層１に固まり部が生じて濾材の循環移動が不充分となり、原水を濾過する際の圧損が高くなると共に、濾過水の濁り度も高くなってしまう虞があるため、原水を原水供給ノズル２ｂから供給しつつ、濾過層１に生じた固まり部を高圧水の噴射等により直接解砕撹拌する詰り洗浄を行うが、該詰り洗浄を行う際に、詰りが発生した濾過モジュールＭが内蔵された濾過槽５の開閉手段９のバルブ９ａを開放すると、該濾過槽５に内蔵された濾過モジュールＭの詰り洗浄排水管８から排水作業が行われるため、懸濁物質を多く含んだ水が堰３ａを越えて濾過水ノズル３ｄから排出されてしまうことが避けられると共に、前記各濾過槽５に対しては、図示していない原水槽から一台のポンプにより原水が分配される形で供給されるようになっているため、前記詰りが発生した濾過モジュールＭが内蔵された濾過槽５以外の濾過槽５では、原水濾過及び濾材洗浄が同時進行される通常運転が継続して行われることとなる。
【００３８】
これにより、従来のように、例えば、濾過水ノズル３ｄに接続される濾過水管（図示せず）から仮設の強制排水管を分岐接続し、前記懸濁物質を含んだ水を回収するのとは異なり、詰りが発生した濾過モジュールＭが内蔵された濾過槽５の開閉手段９のバルブ９ａを開放するだけで、準備に手間がかからず、煩雑な作業が一切不要になる。
【００３９】
又、前記懸濁物質を多く含んだ水が堰３ａを越えて濾過水ノズル３ｄから排出されてしまうことを避けるために、前記エアリフト洗浄排水管４ｃから排出できる洗浄排水の流量に見合う量の原水を少しずつ詰り洗浄用として原水供給ノズル２ｂから供給するのに比べ、詰り洗浄を完了するまでの時間を短縮することが可能となる。
【００４０】
更に又、前記濾過層１の上方に水中ポンプを投入し、該水中ポンプで前記懸濁物質を含んだ水を強制的に汲み上げて回収するのとは異なり、水中ポンプの手配等の面倒な作業も行わなくて済む。
【００４１】
こうして、洗浄排水集合管７につながる複数台の濾過槽５に内蔵された濾過モジュールＭで詰りが発生した際に、懸濁物質を多く含んだ水が濾過水回収手段３の堰３ａを越えて濾過水ノズル３ｄから排出されてしまうことを防止しつつ、詰り洗浄を容易に且つ効率良く行い得る。
【００４２】
図３及び図４は本発明の移動床式上向流連続砂濾過装置の第二実施例（濾過槽５をコンクリートによって製造したもの）であって、図中、図８と同一の符号を付した部分は同一物を表わしており、基本的な構成は図８に示す従来のものと同様であるが、本第二実施例の特徴とするところは、図３及び図４に示す如く、濾過槽５の内部に配設され且つ洗浄排水集合管７に接続される連結管４ｆに対し、各濾過槽５に内蔵された濾過モジュールＭでの詰り発生時に濾過水回収手段３と濾過層１との間の水を排出する詰り洗浄排水管８を接続し、該各詰り洗浄排水管８に開閉手段９（バルブ９ａ）を設けた点にある。
【００４３】
本第二実施例の場合、図４に示す如く、原水供給ヘッダ２ａが濾過槽５の内部に各濾過モジュールＭを貫通するように延び、濾過水受部３ｃに関しても各濾過モジュールＭを貫通するように延長させ、又、前記原水供給ヘッダ２ａから下方へ原水供給ノズル２ｂを延ばしてディストリビュータ２ｃに接続し、該ディストリビュータ２ｃは、エアリフト管４ａの外周に同芯状となるよう配設され且つ前記原水供給ノズル２ｂが接続されるセンターパイプ２ｄと、該センターパイプ２ｄを中心として傘の骨のように放射状に延び且つ下面側が開口された複数本の原水分散ガイド２ｅとから構成してあり、これらの点、並びにマルチ濾過モジュールタイプとしている点において、図１及び図２に示す濾過槽５を鋼板によって製造したシングル濾過モジュールタイプのものと構造は異なっているが、原水濾過及び濾材洗浄の原理は全く同様となっている。
【００４４】
上記第二実施例においても、例えば、懸濁物質の濃度が異常に高くなったり、或いは砂等の濾材に固着しやすい物質が多く含まれていたりして、流入する原水の性状が変化した場合、濾過層１に固まり部が生じて濾材の循環移動が不充分となり、原水を濾過する際の圧損が高くなると共に、濾過水の濁り度も高くなってしまう虞があるため、原水を原水供給ノズル２ｂから供給しつつ、濾過層１に生じた固まり部を高圧水の噴射等により直接解砕撹拌する詰り洗浄を行うが、該詰り洗浄を行う際に、詰りが発生した濾過モジュールＭが内蔵された濾過槽５の開閉手段９のバルブ９ａを開放すると、該濾過モジュールＭが内蔵された濾過槽５の詰り洗浄排水管８から排水作業が行われるため、懸濁物質を多く含んだ水が堰３ａを越えて濾過水ノズル３ｄから排出されてしまうことが避けられると共に、前記詰りが発生した濾過モジュールＭが内蔵された濾過槽５以外の濾過槽５では、原水濾過及び濾材洗浄が同時進行される通常運転が継続して行われることとなる。
【００４５】
これにより、従来のように、例えば、濾過水ノズル３ｄに接続される濾過水管（図示せず）から仮設の強制排水管を分岐接続し、前記懸濁物質を含んだ水を回収するのとは異なり、第一実施例と同様、詰りが発生した濾過モジュールＭが内蔵された濾過槽５の開閉手段９のバルブ９ａを開放するだけで、準備に手間がかからず、煩雑な作業が一切不要になり、又、前記懸濁物質を多く含んだ水が堰３ａを越えて濾過水ノズル３ｄから排出されてしまうことを避けるために、前記エアリフト洗浄排水管４ｃから排出できる洗浄排水の流量に見合う量の原水を少しずつ詰り洗浄用として原水供給ノズル２ｂから供給するのに比べ、詰り洗浄を完了するまでの時間を短縮することが可能となり、更に又、前記濾過層１の上方に水中ポンプを投入し、該水中ポンプで前記懸濁物質を含んだ水を強制的に汲み上げて回収するのとは異なり、水中ポンプの手配等の面倒な作業も行わなくて済む。
【００４６】
こうして、第二実施例においても、第一実施例と同様、洗浄排水集合管７につながる複数台の濾過槽５に内蔵された濾過モジュールＭで詰りが発生した際に、懸濁物質を多く含んだ水が濾過水回収手段３の堰３ａを越えて濾過水ノズル３ｄから排出されてしまうことを防止しつつ、詰り洗浄を容易に且つ効率良く行い得る。尚、図３及び図４に示すような濾過槽５をコンクリートによって製造したものを、マルチ濾過モジュールタイプとせずにシングル濾過モジュールタイプとしても良いことは言うまでもない。
【００４７】
因みに、前記第一実施例及び第二実施例においては、詰り洗浄排水管８の開閉手段９はいずれもバルブ９ａとしてあるが、例えば、図５（ａ）に示す如く、詰り洗浄排水管８の開口を上方に向け、該開口にゴム等の弾性体製の栓９ｂをねじ込むようにしたり、図５（ｂ）に示す如く、前記詰り洗浄排水管８の開口に水圧で押し付けられる蓋９ｃを取り付けるようにしたり、或いは、図５（ｃ）に示す如く、前記詰り洗浄排水管８の開口に支柱９ｄに沿って水面より上方位置まで引き上げ可能な蛇腹９ｅを設けるようにすることにより、前記バルブ９ａの代わりとして開閉手段９を構成することは可能である。
【００４８】
尚、本発明の移動床式上向流連続砂濾過装置及びその運転方法は、上述の実施例にのみ限定されるものではなく、濾過槽に内蔵される濾過モジュールの数は適宜選定可能であること、濾過槽はシングル濾過モジュールタイプ或いはマルチ濾過モジュールタイプにかかわらず鋼板又はコンクリートのいずれでも製造可能であること等、その他、本発明の要旨を逸脱しない範囲内において種々変更を加え得ることは勿論である。
【符号の説明】
【００４９】
１    濾過層
２    原水供給手段
３    濾過水回収手段
４    濾材洗浄手段
４ａ  エアリフト管
４ｂ  排水桶
４ｃ  エアリフト洗浄排水管
５    濾過槽
７    洗浄排水集合管
８    詰り洗浄排水管
９    開閉手段
Ｍ    濾過モジュール
【図１】
0005763503.tif 000002
【図２】
0005763503.tif 000003
【図３】
0005763503.tif 000004
【図４】
0005763503.tif 000005
【図５】
0005763503.tif 000006
【図６】
0005763503.tif 000007
【図７】
0005763503.tif 000008
【図８】
0005763503.tif 000009